(57)【要約】【課題】この発明は、ローディング手段のオープン動作に制限をつけることができるとともに、オープン動作に制限をつけた際にも、オープンキーの押下げを設定時間以上継続させることによってオープン動作を実行させることができる再生装置を提供することを目的とする。【解決手段】ローディング手段によって媒体保持体をクローズ位置からオープン位置に移動させるためのオープン指令を入力するためのオープンキー、ローディング手段にオープン動作を実行させるために必要なオープンキー押下継続時間を、最短時間または最短時間より長い時間に設定するための設定手段、ならびにオープンキーが操作された場合には、オープンキーの押下継続時間が、設定手段によって設定されている押下継続時間に達したときに、ローディング手段にオープン動作を実行させる制御手段を備えている。【選択図】  図１
2004272956.tif 000002
【特許請求の範囲】
【請求項１】
媒体保持体を、再生動作が可能なクローズ位置から媒体装着・取り出しのためのオープン位置に移動させるためのローディング手段を備えた再生装置において、
ローディング手段によって媒体保持体をクローズ位置からオープン位置に移動させるためのオープン指令を入力するためのオープンキー、
ローディング手段にオープン動作を実行させるために必要なオープンキー押下継続時間を、最短時間または最短時間より長い時間に設定するための設定手段、ならびに
オープンキーが操作された場合には、オープンキーの押下継続時間が、設定手段によって設定されている押下継続時間に達したときに、ローディング手段にオープン動作を実行させる制御手段、
を備えていることを特徴とする再生装置。
【請求項２】
設定手段によって、押下継続時間として最短時間より長い時間が設定されている場合において、オープンキーが押し下げられたときには、ローディング手段によるオープン動作が制限されていることを表示装置に表示させる手段を備えていることを特徴とする請求項１に記載の再生装置。
【発明の詳細な説明】
【０００１】
【発明の属する技術分野】
この発明は、例えば、ＤＶＤプレーヤ等の再生装置に関する。
【０００２】
【従来の技術】
ＤＶＤプレーヤとして、ディスクを保持するための媒体保持体を、再生動作が可能なクローズ位置から媒体装着・取り出しのためのオープン位置に移動させるためのローディング装置を備えたものが知られている。ローディング装置としては、媒体保持体がディスクを水平状態で保持するものである場合には媒体保持体を前後方向にスライドさせるスライド式のものが、媒体保持体がディスクを垂直状態で保持するものである場合には媒体保持体を傾めに倒す開閉式のものがある。ユーザがオープンキーを押すと、ローディング装置によってオープン動作が実行され、媒体保持体がオープン位置に移動するようになっている。
【０００３】
この種のＤＶＤプレーヤにおいては、子供がうっかりしてオープンキーを押してしまうことによって、媒体保持体がオープンされるのを防止するために、ローディング装置によるオープン動作を禁止させるための機能（オープン動作禁止機能）を備えているものがある。オープン動作禁止機能の設定および解除は、複数のキーを同時に押す等の方法によって行われている。オープン動作禁止機能の設定が行われると、オープン動作禁止機能を解除するための操作を行わなければ媒体保持体をオープンさせることができなかった。このため、オープン動作禁止状態から、媒体保持体をオープンさせるための操作が面倒であるという問題がある。
【０００４】
【発明が解決しようとする課題】
この発明は、単にオープンキーを押しただけではオープン動作が行われないようにローディング手段のオープン動作に制限をつけることができるとともに、オープン動作に制限をつけた際にも、オープンキーの押下げを設定時間以上継続させることによってオープン動作を実行させることができる再生装置を提供することを目的とする。
【０００５】
【課題を解決するための手段】
請求項１に記載の発明は、媒体保持体を、再生動作が可能なクローズ位置から媒体装着・取り出しのためのオープン位置に移動させるためのローディング手段を備えた再生装置において、ローディング手段によって媒体保持体をクローズ位置からオープン位置に移動させるためのオープン指令を入力するためのオープンキー、ローディング手段にオープン動作を実行させるために必要なオープンキー押下継続時間を、最短時間または最短時間より長い時間に設定するための設定手段、ならびに  オープンキーが操作された場合には、オープンキーの押下継続時間が、設定手段によって設定されている押下継続時間に達したときに、ローディング手段にオープン動作を実行させる制御手段を備えていることを特徴とする。
【０００６】
請求項２に記載の発明は、請求項１に記載の再生装置において、設定手段によって、押下継続時間として最短時間より長い時間が設定されている場合において、オープンキーが押し下げられたときには、ローディング手段によるオープン動作が制限されていることを表示装置に表示させる手段を備えていることを特徴とする。
【０００７】
【発明の実施の形態】
以下、図面を参照して、この発明をＤＶＤプレーヤに適用した場合の実施の形態について説明する。
【０００８】
図１は、ＤＶＤプレーヤの電気的構成を示している。
【０００９】
図１において、１はＤＶＤドライブ、２は信号処理回路、３は表示装置、４は音声出力装置、５は外部出力装置、６は操作部、７は制御回路である。ＤＶＤドライブ１には、ディスク保持体（媒体保持体）を再生動作が可能なクローズ位置から媒体装着・取り出しのためのオープン位置に移動させるためのローディング装置１１、ディスクから映像、音声、その他の情報等を読み取る情報読取装置１２を含んでいる。
【００１０】
情報読取装置１２によって読み取られた信号は、信号処理回路２を介して、表示装置３、音声出力装置４および外部出力装置５に出力される。制御回路７は、マイクロコンピュータを用いたシステムコントローラで構成され、操作部６からの操作信号に基づいて、システム全体の制御を行う。操作部６には、オープンキーを含む複数のキーが設けられている。
【００１１】
このＤＶＤプレーヤでは、通常は、単にオープンキーを押すことによって、ディスク保持体がクローズ位置からオープン位置に移動せしめられる。この実施の形態では、ディスク保持体のオープン位置からクローズ位置への移動は、手動で行われる。なお、ディスク保持体のオープン位置からクローズ位置への移動も、キー操作に基づいて自動的に行われるようにしてもよい。
【００１２】
このＤＶＤプレーヤでは、操作部６の操作によって表示装置３に表示されるメニュー画面上で、ローディング装置１１にオープン動作を実行させるために必要なオープンキー押下継続時間を設定できるようになっている。この例では、ローディング装置１１にオープン動作を実行させるために必要なオープンキー押下継続時間を、通常時の最短時間または最短時間より長い時間に設定できるようになっている。最短時間より長い時間としては、例えば、３〜１０秒の間で複数種類設定できるようになっている。なお、最短時間が設定されている場合には、オープンキーからのキー入力があれば、オープンキーの押下げ継続時間が最短時間に達したものとみなされる。
【００１３】
以下の説明においては、ローディング装置１１にオープン動作を実行させるために必要なオープンキー押下継続時間として、最短時間が設定されているモードをオープン動作非制限モードといい、最短時間より長い時間が設定されているモードをオープン動作制限モードということにする。
【００１４】
図２は、ディスク保持体がクローズ位置にある状態においてオープンキーが押された場合の、制御回路７によるローディング装置１１の制御処理手順を示している。
【００１５】
ディスク保持体がクローズ位置にある状態において、オープンキーが押されることによってオープンキー信号が入力されると（ステップ１）、オープン動作非制限モードかオープン動作制限モードかを判別する（ステップ２）。オープン動作制限モードである場合には、表示装置３にオープン動作に制限が付けられていることを表示（警告表示）するとともに（ステップ３）、オープンキーの押下継続時間が、現在設定されている継続時間に達したか否か（ステップ４）、オープンキーの押下げが解除されたか否か（ステップ５）を繰り返し判別する。
【００１６】
オープンキーの押下継続時間が現在設定されている継続時間に達したときには（ステップ４でＹＥＳ）、ローディング装置１１によってディスク保持体をオープン位置まで移動させる（ステップ６）。そして、ステップ１に戻る。
【００１７】
オープンキーの押下継続時間が現在設定されている継続時間に達する前に、オープンキーの押下げが解除された場合には（ステップ４でＮＯ，ステップ５でＹＥＳ）、ステップ１に戻る。
【００１８】
上記ステップ２で、オープン動作非制限モードである場合には、ローディング装置１１によってディスク保持体をオープン位置まで移動させる（ステップ６）。そして、ステップ１に戻る。
【００１９】
上記実施の形態によれば、単にオープンキーを押しただけではオープン動作が行われないようにローディング装置のオープン動作に制限をつけることができるとともに、オープン動作に制限をつけた際（オープン動作制限モード時）にも、オープンキーの押下げを設定時間以上継続させることによってオープン動作を実行させることができる。
【００２０】
また、オープン動作制限モード時において、オープンキーが押された場合には、直ちにオープン動作は行われないが、オープン動作に制限が付けられていることが表示装置３に表示されるので、オープンキーを操作した人がオープン動作制限機能を理解していない人であっても、装置が故障していると勘違いするといったことが防止される。
【００２１】
なお、この発明は、ＤＶＤプレーヤの他、ＭＤプレーヤ、ＣＤプレーヤ、ＶＴＲ等の再生装置にも適用できる。
【００２２】
【発明の効果】
この発明によれば、単にオープンキーを押しただけではオープン動作が行われないようにローディング手段のオープン動作に制限をつけることができるとともに、オープン動作に制限をつけた際にも、オープンキーの押下げを設定時間以上継続させることによってオープン動作を実行させることができるようになる。
【図面の簡単な説明】
【図１】ＤＶＤプレーヤの電気的構成を示すブロック図である。
【図２】ディスク保持体がクローズ位置にある状態においてオープンキーが押された場合の、制御回路によるローディング装置の制御処理手順を示すフローチャートであるる
【符号の説明】
１  ＤＶＤドライブ
２  信号処理回路
３  表示装置
４  音声出力装置
５  外部出力装置
６  操作部
７  制御回路
１１  ローディング装置
１２  情報読取装置
【図１】
2004272956.tif 000003
【図２】
2004272956.tif 000004